(57)【要約】【課題】本発明は、遊技領域を前側から覆う２枚の透明板を前後方向に間隔をあけて所定位置で保持する透明板保持枠を備えたパチンコ機に関し、２枚の透明板を所定位置まで容易に入れることができることと、２枚の透明板の前後方向のガタツキを抑えることとを両立させる。【解決手段】透明板保持枠１３が、２枚の透明板３０の厚みよりも幅広な溝２０１，２０２によって２枚の透明板３０それぞれの縁を所定位置まで案内するとともにその所定位置に保持するレール部材２０と、保持された２枚の透明板３０の間に操作を受けることで入り込み、前側の透明板３０を前方へ押し付けるとともに後側の透明板３０を後方へ押し付け２枚の透明板３０の間隔を所定間隔に規制する規制部材４０とを備える。【選択図】        図５
2008142292.tif 000002
【特許請求の範囲】
【請求項１】
遊技領域を前側から覆う２枚の透明板を前後方向に間隔をあけて所定位置で保持する透明板保持枠を備えたパチンコ機において、
前記透明板保持枠が、
前記２枚の透明板の厚みよりも幅広な溝が設けられ、該溝によって該２枚の透明板それぞれの縁を前記所定位置まで案内するとともに該所定位置に保持するレール部材と、
前記溝によって保持された２枚の透明板の間に操作を受けることで入り込み、該２枚の透明板のうちの前側の透明板を前方へ押し付けるとともに後側の透明板を後方へ押し付け該２枚の透明板の間隔を所定間隔に規制する規制部材とを備えたものであることを特徴とするパチンコ機。
【請求項２】
前記所定位置で前記所定間隔をあけて重なった２枚の透明板のうち後側の透明板に当接する、前記透明板保持枠よりも後方から前方へ向かって突出した突起を備えたことを特徴とする請求項１記載のパチンコ機。
【請求項３】
前記突起が、前方から見えないように前記透明板保持枠によって隠されたものであることを特徴とする請求項２記載のパチンコ機。
【発明の詳細な説明】
【技術分野】
【０００１】
本発明は、遊技領域を前方から覆う２枚の透明板を前後方向に間隔をあけて所定位置で保持する透明板保持枠を備えたパチンコ機に関する。
【背景技術】
【０００２】
上記パチンコ機において、遊技盤に設けられた遊技領域に打ち込まれた打球は、遊技領域を前方から覆う透明板と遊技盤との間の空間を流下していく。打球は、遊技釘等に衝突したり、透明板に当たって跳ね返ったりしながら流下していき、流下していく途中で入賞口に打球が入賞すると賞球が払い出される。透明板と遊技盤の距離が変わると、透明板に当たって跳ね返る打球の挙動も変わり、入賞確率に影響が及ぶ。このため、透明板と遊技盤の距離を一定に保つ工夫がなされたパチンコ機が提案されている（例えば、特許文献１参照）。この特許文献１には、２枚の透明板それぞれの縁を案内するとともに保持する溝が設けられたレール部材に、板バネやゴム等の弾性部材を装着することによって透明板の前後方向のガタツキを抑えることが好ましいと記載されている。特許文献１には、これ以上の詳しい記載はないが、例えば、前側の透明板の縁を案内する溝に前側の透明板を前方へ押し付ける弾性部材を装着しておくとともに、後側の透明板の縁を案内する溝にも後側の透明板を後方へ押し付ける弾性部材を装着しておけば、確かに、２枚の透明板の前後方向のガタツキを抑えることができるであろう。
【特許文献１】特開２００２−２２４３７２号公報（段落００２０）
【発明の開示】
【発明が解決しようとする課題】
【０００３】
しかしながら、このようにして弾性部材を装着しておくと、溝の幅が弾性部材によって透明板の厚さ以下に規制され、透明板の縁を上記溝に案内させて所定位置まで入れる際に弾性部材がじゃまになり、透明板が入れづらくなることが予想される。
【０００４】
本発明は、上記事情に鑑み、２枚の透明板を所定位置まで容易に入れることができることと、２枚の透明板の前後方向のガタツキを抑えることとを両立させる工夫がなされたパチンコ機を提供することを目的とする。
【課題を解決するための手段】
【０００５】
上記目的を達成するための本発明のパチンコ機は、遊技領域を前側から覆う２枚の透明板を前後方向に間隔をあけて所定位置で保持する透明板保持枠を備えたパチンコ機において、
上記透明板保持枠が、
上記２枚の透明板の厚みよりも幅広な溝が設けられ、その溝によってその２枚の透明板それぞれの縁を上記所定位置まで案内するとともにその所定位置に保持するレール部材と、
上記溝によって保持された２枚の透明板の間に操作を受けることで入り込み、その２枚の透明板のうちの前側の透明板を前方へ押し付けるとともに後側の透明板を後方へ押し付けその２枚の透明板の間隔を所定間隔に規制する規制部材とを備えたものであることを特徴とする。
【０００６】
本発明のパチンコ機によれば、上記規制部材が、上記溝によって保持された２枚の透明板の間に操作を受けることで入り込む。このため、透明板の縁を上記溝に案内させて透明板を所定位置まで入れる際に、その操作を行わなければ上記規制部材がじゃまになることはなく、２枚の透明板を所定位置まで容易に入れることができる。また、２枚の透明板を上記所定位置まで入れた後にその操作を行えば、上記規制部材によって２枚の透明板の間隔が所定間隔に規制される。上記２枚の透明板それぞれの縁は上記溝によってその所定位置に保持されていることから、規制部材によって２枚の透明板の前後方向のガタツキが抑えられる。
【０００７】
また、本発明のパチンコ機において、上記所定位置で上記所定間隔をあけて重なった２枚の透明板のうち後側の透明板に当接する、上記透明板保持枠よりも後方から前方へ向かって突出した突起を備えたことが好ましい。
【０００８】
例えば、上記遊技領域が設けられた遊技盤が取り付けられるとともに、上記透明板保持枠がその遊技盤より前側に取り付けられた内枠を備えたパチンコ機であれば、上記突起が、上記内枠に設けられたものであってもよいし、あるいは上記遊技盤に設けられたものであってもよい。
【０００９】
こうすることで、上記後側の透明板と上記遊技盤の距離が一定に保たれる。
【００１０】
さらに、上記突起が、前方へ向けて付勢されたものである態様がより好ましい。
【００１１】
この態様によれば、２枚の透明板の間に上記規制部材が入り込むことで後側の透明板が若干後方に寄った状態で上記突起に当接し、上記突起の付勢力によって後側の透明板が前方へ押し戻され、上記後側の透明板と上記遊技盤の距離がより確実に一定に保たれる。
【００１２】
また、上記内枠が、上記突起を複数箇所に備えたものであることも、上記距離を一定に保つ上で好ましい。
【００１３】
さらにまた、上記突起が、前方から見えないように上記透明板保持枠によって隠されたものである態様が意匠的に見てより好ましい。
【００１４】
この態様の一例としては、上記透明板保持枠が、上記レール部材によって囲まれ、上記透明板で塞がれる開口を有するものであり、
上記突起が、前方から見えないように、上記透明板保持枠の、上記レール部材と上記開口の縁との間の部分によって隠されたものである態様があげられる。
【発明の効果】
【００１５】
本発明によれば、２枚の透明板を所定位置まで容易に入れることができることと、２枚の透明板の前後方向のガタツキを抑えることとを両立させる工夫がなされたパチンコ機を提供することができる。
【発明を実施するための最良の形態】
【００１６】
以下図面を参照して本発明の実施の形態を説明する。
【００１７】
まず、本発明のパチンコ機の一実施形態に相当するパチンコ機の全体にわたる大まかな説明を行う。
【００１８】
図１は、本実施形態のパチンコ機を示す斜視図である。
【００１９】
以下の説明では、図１の左手前側をおもて側（前側）と称し、右奥側を裏側（後側）と称する。
【００２０】
図１に示すパチンコ機１は、外枠１１と内枠１２とガラス枠１３を有する。外枠１１は、パチンコホールに固定設置された木枠である。内枠１２は、外枠１１に対して、おもて側から見たときの左側に設けられた上下方向の回動軸を回動中心にして開閉可能に取付けられたものである。また、ガラス枠１３は、内枠１２に対して、その内枠１２と同じ左側に設けられた上下方向の回動軸１３Ｌを回動中心にして開閉可能に取付けられたものである。図１には、内枠１２は閉じてガラス枠１３は開けた状態が示されている。図１に示すガラス枠１３は、略９０°開いた状態にあり、ガラス枠１３の裏側が紙面手前側を向いている。ガラス枠１３の中央には円形の開口ｃが設けられている。詳しくは後述するが、ガラス枠１３の裏側には２枚のガラス板が前後に重なった状態で保持され、この円形の開口ｃがガラス板によって塞がれる。図１には、ガラス枠１３の裏側にガラス板が保持される前の状態が示されている。
【００２１】
パチンコ機１の中央部分には遊技盤１４が配置されている。この遊技盤１４は、内枠１２に裏側から固定配置されたものであり、前方（遊技者の方）を向いた面がおもて面になる。遊技盤１４には、遊技領域Ｐが形成されている。ガラス枠１３は閉まった状態で遊技盤１４をおもて側から覆う。遊技者が、ガラス枠１３に保持されたここでは不図示のガラス板を介して遊技盤１４を視認することができる領域は円形の開口ｃの領域である。
【００２２】
遊技盤１４のすぐ下には上皿１５１が設けられており、その上皿１５１のさらに下には下皿１６１が設けられている。また、下皿１６１の右横には発射ハンドル１６２が設けられている。上皿１５１も下皿１６１もパチンコ球を貯留する部位である。上皿１５１の近傍には、上皿１５１にパチンコ球を払出すための玉貸ボタン１５２ａや、いわゆるＣＲユニットからカードを返却するためのカード返却ボタン１５２ｂや、上皿１５１に貯留されているパチンコ球を下皿１６１へ移すための移動ボタン１５３が設けられている。下皿１６１にはファール球や払戻し球が貯留され、操作レバー１６３を操作すると、下皿１６１に貯留されていたパチンコ球が下方へ排出される。
【００２３】
発射ハンドル１６２は、回転操作自在なものであり、遊技者がこの発射ハンドル１６２を回転操作することで、上皿１５１に貯留されていたパチンコ球が、レール部材１７に案内され遊技領域Ｐの上方に向かって打ち込まれる。遊技領域Ｐには、こうして打ち込まれたパチンコ球（打球）の、入賞口への入賞確率を変動させる可動部材を備えた、アタッカー型役物１４１やチューリップ型役物１４２が設けられている。また、遊技領域Ｐには、入賞確率の変動を伴わない通常の入賞口１４３も設けられている。さらに、遊技領域Ｐには、いずれも図示省略したが、打球の流下方向や速度を変化させる多数の遊技釘や風車も設けられている。
【００２４】
遊技領域Ｐの上方に打ち込まれた打球は、遊技釘等に衝突したり、遊技領域Ｐをおもて側から覆うガラス板（不図示）に当たって跳ね返ったりしながら流下していき、流下していく途中でいずれかの入賞口に打球が入賞すると賞球が払い出される。なお、いずれの入賞口にも入賞しなかった打球は、遊技領域Ｐの下端中央に設けられたアウト口１４４に取り込まれる。
【００２５】
続いて、ガラス枠１３の裏面１３ａについて詳述する。ガラス枠１３の裏面１３ａには、円形の開口ｃを取り囲むようにレール部材２０が取り付けられている。レール部材２０は、前後に並んだ２本溝構造であり、横レール部２１、左右の斜めレール部２２Ｌ，Ｒ、および左右の縦レール部２３Ｌ，Ｒからなるものである。このレール部材２０は、後述するガラス板の形状に合致している。横レール部２１は、ガラス枠１３の下縁１３ｕに沿って円形の開口ｃよりも下方に取り付けられた部位である。左右の斜めレール部２２Ｌ，Ｒは、その横レール部２１の両端から互いに離れるように斜め上方へ向かって延びた部位である。一方の斜めレール部２２Ｒの先端は、ガラス枠１３の、前方から見たときの右縁１３Ｒ近傍に位置し、もう一方の斜めレール部２２Ｌの先端は、回動軸１３Ｌ近傍に位置する。左右の縦レール部２３Ｌ，Ｒそれぞれは、斜めレール部２２Ｌ，Ｒの先端からガラス枠１３の上縁１３ｈに向かって垂直に延びた部位である。すなわち、一方の縦レール部２３Ｒは、右縁１３Ｒに沿って延びた部位であり、もう一方の縦レール部２３Ｌは、回動軸１３Ｌに沿って延びた部位である。左右の縦レール部２３Ｌ，Ｒそれぞれの先端は上方へ向けて開放しており、これらの先端から１枚ずつ不図示のガラス板が上方から下方へ向けて差し込まれる。レール部材２０の前後に並んだ２本溝構造における各溝２０１，２０２の幅は、ガラス板の厚みよりも広い。
【００２６】
図２は、図１に示すガラス板が保持される前のガラス枠に、ガラス板が保持される様子を示す斜視図である。
【００２７】
図２には、ガラス枠１３に保持されるガラス板３０が示されている。図２に示すガラス板３０は、長方形と等脚台形を合わせた六角形状のものであり、上縁３１、下縁３２、左右の縦縁３３Ｌ，Ｒ、および左右の斜め縁３４Ｌ，Ｒを有する。ガラス板３０の左右の縦縁３３Ｌ，Ｒそれぞれが、図１に示す左右の縦レール部２３Ｌ，Ｒの各溝２０１，２０２によって案内され、ガラス板３０は、その下縁３２が、図１に示す横レール部２１の各溝２０１，２０２に保持されるとともに、その左右の斜め縁３４Ｌ，Ｒが、図１に示す左右の斜めレール部２２Ｌ，Ｒの各溝２０１，２０２に保持される位置まで差し込まれる。この位置が、ガラス板３０の所定位置であり、この所定位置まで差し込まれたガラス板３０の左右の縦縁３３Ｌ，Ｒは、図１に示す左右の縦レール部２３Ｌ，Ｒの各溝２０１，２０２に保持される。円形の開口ｃは、所定位置まで差し込まれたガラス板３０によって塞がれる。
【００２８】
また、左右の縦レール部２３Ｌ，Ｒそれぞれの上下には、規制部材４０が１つずつ回動自在に設けられている。すなわち、図１や図２に示すガラス枠１３には、４つの規制部材４０が設けられている。
【００２９】
図３は、図１に示す矢印方向から見た規制部材を示す図である。また図４は、図１に示す点線で囲んだ部分、すなわち図１に示す右（図１では左手前側）の縦レール部の下方に設けられた規制部材を中心とした部分の拡大図である。
【００３０】
図３および図４には、縦レール部２３Ｒにおける２本の溝２０１，２０２が示されている。図３に示すこれらの溝２０１，２０２は、紙面奥側に向かって窪んだものであり、この図３では、図の左側が前側になり右側が後側になることから、左側に示す溝が前側の溝２０１であり、右側に示す溝が後側の溝２０２である。これら２本の溝２０１，２０２の間には中壁２１０が設けられている。図３に示す中壁２１０は、紙面手前に向かって突出したものであり、前後（図３では左右）の突出端縁２１１は面取りされている。前側の溝２０１は、中壁２１０とガラス枠１３の裏面１３ａによって画定された溝である。後側の溝２０２は、中壁２１０と後壁２２０によって画定された溝である。この後壁２２０も、中壁２１０と同じように図３の紙面手前に向かって突出したものである。
【００３１】
左右の縦レール部２３Ｌ，Ｒそれぞれの上下には、規制部材４０に対応して開口２３１が１つずつ設けられている。図３に示すように、この開口２３１は、中壁２１０の一部を切り欠くとともに２本の溝２０１，２０２それぞれの底壁２０１ｂ，２０２ｂも切り欠き、前側の溝２０１と後側の溝２０２にまたがるように形成された矩形の孔である。この開口２３１を画定する上下左右の縁のうちの下縁における両端部分２３１１は面取りされている。
【００３２】
図３では、規制部材４０を明確化するため、規制部材４０にはハッチングを施してある。規制部材４０は、取付部４１、回動軸４２、前側アーム４３、および後側アーム４４を有する樹脂製のものである。この規制部材４０は、取付部４１によってガラス枠１３の裏面１３ａに回動自在に取り付けられている。前側アーム４３と後側アーム４４は、前後方向（縦レール部の幅方向Ｗ）に間隔をあけて、回動軸４２が設けられた側から平行に延びた部位である。前側アーム４３の先端部分４３１は前側に張り出しており、後側アーム４４の先端部分４４１は後側に張り出している。図３および図４に示す規制部材４０は、前側アーム４３の先端部分４３１と後側アーム４４の先端部分４４１がともに上方を向くように縦レール部２３Ｒに沿って起立した姿勢にあり、２本の溝２０１，２０２の外に位置している。２枚のガラス板３０は、規制部材４０がこのように２本の溝２０１，２０２の外に位置する状態で、左右の縦レール部２３Ｌ，Ｒそれぞれの先端から１枚ずつ差し込まれる。
【００３３】
図４に示すように、規制部材４０は操作部４５も有する。規制部材４０は、操作部４５を指で操作することにより、回動軸４２を回動中心にして回動する。図３に示す規制部材４０は、前側アーム４３の先端部４３１と後側アーム４４の先端部４４１が紙面手前側に倒れてくるように回動する。また、図４に示す規制部材４０は、矢印Ｄ方向に回動する。図３および図４に示す起立した姿勢の規制部材４０は、水平姿勢になるまで回動する。規制部材４０が水平姿勢になるまで回動すると、開口２３１から、前側アーム先端部４３１が前側の溝２０１内に入り込み、後側アーム先端部４４１は後側の溝２０２内に入り込む。
【００３４】
図５は、ガラス板を保持したガラス枠を示す斜視図である。
【００３５】
まず、上述のごとく、規制部材４０が２本の溝２０１，２０２の外に位置する状態（図１参照）で、２枚のガラス板３０を左右の縦レール部２３Ｌ，Ｒそれぞれの先端から所定位置まで１枚ずつ差し込み、前側のガラス板３０を前側の溝２０１に保持させるとともに後側のガラス板３０を後側の溝２０２に保持させる。レール部材２０の各溝２０１，２０２の幅は、ガラス板３０の厚みよりも広いため、２枚のガラス板３０を所定位置まで容易に入れることができる。その後、規制部材４０の操作部４５（図４参照）を操作することで、規制部材４０を図５に示すような水平姿勢になるまで回動させる。すると、規制部材４０の前側アーム先端部４３１と後側アーム先端部４４１は、前側の溝２０１に保持されているガラス板３０と後側の溝２０２に保持されているガラス板３０の間に入り込む。前側アーム４３も後側アーム４４も、前後方向にバネ性を持っており、前側アーム先端部４３１と後側アーム先端部４４１は、このバネ性を活かして２枚のガラス板３０の間に入り込む。図４に示すように、前側アーム先端部４３１には、水平姿勢に近づくにつれて前側のガラス板３０を徐々に前側に押し付けるテーパ面４３１１が設けられており、後側アーム先端部４４１には、水平姿勢に近づくにつれて後側のガラス板３０を徐々に後側に押し付けるテーパ面４４１１が設けられている。これらのテーパ面４３１１，４４１１によって、規制部材４０は２枚のガラス板３０に対してくさびとして作用する。規制部材４０を水平姿勢まで回動すると、図５に示すように、前側のガラス板３０はガラス枠１３の裏面１３ａに押し付けられ、後側のガラス板３０はレール部材２０の後壁２２０に押し付けられ、２枚のガラス板３０の間隔が所定間隔に規制されるとともに、２枚のガラス板３０の前後方向のガタツキが抑えられる。
【００３６】
また、図１に示すように、内枠１２には、前方へ向かって突出した突起１２１が３箇所に設けられている。裏面１３ａに２枚のガラス板３０を保持したガラス枠１３が閉じられると、これら３つの突起１２１に後側のガラス板３０が当接する。なお、これらの突起１２１は、ガラス枠１３よりも後方から前方へ向かって突出したものであればよく、遊技盤１４に設けられたものであってもよい。また、突起１２１を設ける箇所は３箇所に限られるものではない。
【００３７】
図１に示す３つの突起１２１はいずれも、ガラス枠１３が閉じられると、そのガラス枠１３の、レール部材２０と円形の開口ｃの縁との間の部分によって隠され、前方から見えなくなり、デザインを損なうことがない。また、これらの突起１２１はいずれも、前方へ向けてバネ付勢されたものである。上述のごとく２枚のガラス板３０の間に規制部材４０が入り込むと、後側のガラス板３０は若干後方に寄った状態になる。この状態で後側のガラス板３０が突起１２１に当接すると、突起１２１の付勢力によって後側のガラス板３０が前方へ押し戻され、後側のガラス板３０と遊技盤１４の距離がより確実に一定に保たれる。したがって、後側のガラス板３０に当たって跳ね返る打球の挙動が同じようになり、入賞確率が安定する。
【００３８】
以上の説明では、２本溝構造のレール部材２０を例にあげて説明したが、レール部材２０は１本溝構造であってもよい。すなわち、２枚のガラス板３０の厚みを合算した厚みよりも広幅な１本溝であれば、２枚のガラス板を所定位置まで容易に入れることができる。また、このような１本溝に保持された２枚のガラス板の間に規制部材４０を入れ込めば、２枚のガラス板の前後方向のガタツキも抑えられる。
【図面の簡単な説明】
【００３９】
【図１】本実施形態のパチンコ機を示す斜視図である。
【図２】図１に示すガラス板が保持される前のガラス枠に、ガラス板が保持される様子を示す斜視図である。
【図３】図１に示す矢印方向から見た規制部材を示す図である。
【図４】図１に示す点線で囲んだ部分の拡大図である。
【図５】ガラス板を保持したガラス枠を示す斜視図である。
【符号の説明】
【００４０】
１    パチンコ機
１１    外枠
１２    内枠
１２１    突起
１３    ガラス枠
１３ａ    裏面
１４    遊技盤
２０    レール部材
２０１，２０２    溝
２１０    中壁
２２０    後壁
２１    横レール部
２２Ｌ，Ｒ  左右の斜めレール部
２３Ｌ，Ｒ  左右の縦レール部
４０    規制部材
４１    取付部
４２    回動軸
４３    前側アーム
４４    後側アーム
４５    操作部
Ｐ    遊技領域
【図１】
2008142292.tif 000003
【図２】
2008142292.tif 000004
【図３】
2008142292.tif 000005
【図４】
2008142292.tif 000006
【図５】
2008142292.tif 000007